【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  プリント装置のプリント出力特性を一定の特性とするためのキャリブレーション方法であって、
プリント装置から、プリント出力のためのデータ生成において用い得る複数の画像処理条件のうち、その数より少ない所定数の画像処理条件それぞれによるパッチデータに基づきパッチをプリント出力させ、
該パッチの読取り結果と前記パッチデータとに基づき、前記所定数の画像処理条件それぞれについて、第１のプリント出力特性情報および第１のキャリブレーション情報を取得し、
所定のタイミングで、前記プリント装置において、前記所定数の画像処理条件と同じ画像処理条件それぞれによるパッチデータに基づくパッチの出力、および該パッチの測定を行ない、
該パッチの測定結果と前記所定数の画像処理条件と同じ画像処理条件それぞれによるパッチデータとに基づき、前記所定数の画像処理条件それぞれについて、第２のプリント出力特性情報を取得し、
前記所定数の画像処理条件それぞれについて、前記第１のプリント出力特性情報と前記第２のプリント出力特性情報とに基づき補正データを作成し、
前記所定数の画像処理条件それぞれについて、前記作成した補正データによって、前記第１のキャリブレーション情報を補正して第２のキャリブレーション情報を取得し、
前記複数の画像処理条件のうち、当該画像処理において設定されている画像処理条件に応じて、前記複数の画像処理条件のうちその数より少ない所定数の画像処理条件の１つに対応したキャリブレーション情報を選択し、
該選択したキャリブレーション情報を用いて前記データに対しプリント出力特性の補正を行い、
前記選択されたキャリブレーション情報に対応する画像処理条件で、前記データに対して画像処理を行なう、
ステップを有したことを特徴とするキャリブレーション方法。
【請求項２】  前記画像処理条件は、２値化またはｎ値化(ｎは２より大)のための手法であることを特徴とする請求項１に記載のキャリブレーション方法。
【請求項３】  前記２値化またはｎ値化のための手法は、ディザ法であることを特徴とする請求項２に記載のキャリブレーション方法。
【請求項４】  前記キャリブレーション情報はガンマ補正テーブルの情報であり、前記パッチの出力および該パッチの測定を行なうステップは、当該パッチの出力を行なう前に、前記プリント装置におけるプリント出力特性の最大濃度を所定の値に調整することを特徴とする請求項１ないし３のいずれかに記載のキャリブレーション方法。
【請求項５】  前記第２のキャリブレーション情報を取得するステップは、前記第１のキャリブレーション情報の取得が行なわれていないときは、前記第２のプリント出力特性情報のみを用いて第２のキャリブレーション情報を取得することを特徴とする請求項１ないし４のいずれかに記載のキャリブレーション方法。
【請求項６】  プリント出力のためのデータを生成するための画像処理方法であって、
プリント出力のためのデータ生成において用い得る複数の画像処理条件のうち、画像処理において設定されている画像処理条件に応じて、複数の画像処理条件のうちその数より少ない所定数の画像処理条件の１つに対応したキャリブレーション情報を選択し、
該選択したキャリブレーション情報を用いて前記データに対しプリント出力特性の補正を行ない、
前記選択されたキャリブレーション情報に対応する画像処理条件で、前記データに対して画像処理を行なう、
ステップを有したことを特徴とする画像処理方法。
【請求項７】  前記画像処理条件は、２値化またはｎ値化(ｎは２より大)のための手法であることを特徴とする請求項６に記載の画像処理方法。
【請求項８】  前記２値化またはｎ値化のための手法は、ディザ法であることを特徴とする請求項７に記載の画像処理方法。
【請求項９】  前記キャリブレーション情報はガンマ補正テーブルの情報であることを特徴とする請求項６ないし８のいずれかに記載の画像処理方法。
【請求項１０】  プリント装置と該プリント装置のプリントを制御するホスト装置を有し、プリント装置のプリント出力特性を一定の特性とするためのキャリブレーションを行なうプリントシステムであって、
プリント装置から、プリント出力のためのデータ生成において用い得る複数の画像処理条件のうち、その数より少ない所定数の画像処理条件それぞれによるパッチデータに基づきパッチをプリント出力させるパッチ出力手段と、
該パッチの読取り結果と前記パッチデータとに基づき、前記所定数の画像処理条件それぞれについて、第１のプリント出力特性情報および第１のキャリブレーション情報を取得する第１取得手段と、
所定のタイミングで、前記プリント装置において、前記所定数の画像処理条件と同じ画像処理条件それぞれによるパッチデータに基づくパッチの出力、および該パッチの測定を行なうパッチ出力測定手段と、
該パッチの測定結果と前記所定数の画像処理条件と同じ画像処理条件それぞれによるパッチデータとに基づき、前記所定数の画像処理条件それぞれについて、第２のプリント出力特性情報を取得する特性情報取得手段と、
前記所定数の画像処理条件それぞれについて、前記第１のプリント出力特性情報と前記第２のプリント出力特性情報とに基づき補正データを作成する補正データ作成手段と、
前記所定数の画像処理条件それぞれについて、前記作成した補正データによって、前記第１のキャリブレーション情報を補正して第２のキャリブレーション情報を取得する第２取得手段と、
前記複数の画像処理条件のうち、当該画像処理において設定されている画像処理条件に応じて、前記複数の画像処理条件のうちその数より少ない所定数の画像処理条件の１つに対応したキャリブレーション情報を選択する選択手段と、
該選択したキャリブレーション情報を用いて前記データに対しプリント出力特性の補正を行なう補正手段と、
前記選択されたキャリブレーション情報に対応する画像処理条件で、前記データに対して画像処理を行なう手段と、
を有したことを特徴とするプリントシステム。
【請求項１１】  前記画像処理条件は、２値化またはｎ値化(ｎは２より大)のための手法であることを特徴とする請求項１０に記載のプリントシステム。
【請求項１２】  前記２値化またはｎ値化のための手法は、ディザ法であることを特徴とする請求項１１に記載のプリントシステム。
【請求項１３】  前記キャリブレーション情報はガンマ補正テーブルの情報であり、前記パッチ出力測定手段は、当該パッチの出力を行なう前に、前記プリント装置におけるプリント出力特性の最大濃度を所定の値に調整することを特徴とする請求項１０ないし１２のいずれかに記載のプリントシステム。
【請求項１４】  前記第２取得手段は、前記第１のキャリブレーション情報の取得が行なわれていないときは、前記第２のプリント出力特性情報のみを用いて第２のキャリブレーション情報を取得することを特徴とする請求項１０ないし１３のいずれかに記載のプリントシステム。
【請求項１５】  プリントを行なうプリント装置であって、
当該プリント装置から、プリント出力のためのデータ生成において用い得る複数の画像処理条件のうち、その数より少ない所定数の画像処理条件それぞれによるパッチデータに基づいて出力されたパッチの読取り結果と前記パッチデータとに基づいて得られる、第１のプリント出力特性情報および第１のキャリブレーション情報であって、ホスト装置からダウンロードされた第１のプリント出力特性情報および第１のキャリブレーション情報を、前記所定数の画像処理条件それぞれについて格納する第１格納手段と、
所定のタイミングで、前記所定数の画像処理条件と同じ画像処理条件それぞれによるパッチデータに基づくパッチの出力、および該パッチの測定を行なうパッチ出力測定手段と、
該パッチの測定結果と前記所定数の画像処理条件と同じ画像処理条件それぞれによるパッチデータとに基づき、前記所定数の画像処理条件それぞれについて、第２のプリント出力特性情報を取得する特性情報取得手段と、
前記所定数の画像処理条件それぞれについて、前記第２のプリント出力特性情報および第２のキャリブレーション情報を格納する第２格納手段と、
前記所定数の画像処理条件それぞれについて、前記第１格納手段に格納される前記第１のプリント出力特性情報と前記第２格納手段に格納される前記第２のプリント出力特性情報とに基づき補正データを作成する補正データ作成手段と、
前記所定数の画像処理条件それぞれについて、前記補正データ作成手段が作成した補正データによって、前記第１のキャリブレーション情報を補正して前記第２格納手段の前記第２のキャリブレーション情報を作成するキャリブレーション情報作成手段と、
前記複数の画像処理条件のうち、当該画像処理において設定されている画像処理条件に応じて、前記複数の画像処理条件のうちその数より少ない所定数の画像処理条件の１つに対応したキャリブレーション情報を選択する選択手段と、
該選択したキャリブレーション情報を用いて前記データに対しプリント出力特性の補正を行なう補正手段と、
前記選択されたキャリブレーション情報に対応する画像処理条件で、前記データに対して画像処理を行なう手段と、
を有したことを特徴とするプリント装置。
【請求項１６】  前記画像処理条件は、２値化またはｎ値化(ｎは２より大)のための手法であることを特徴とする請求項１５に記載のプリント装置。
【請求項１７】  前記２値化またはｎ値化のための手法は、ディザ法であることを特徴とする請求項１６に記載のプリント装置。
【請求項１８】  前記キャリブレーション情報はガンマ補正テーブルの情報であり、前記パッチ出力測定手段は、当該パッチの出力を行なう前に、前記プリント装置におけるプリント出力特性の最大濃度を所定の値に調整することを特徴とする請求項１５ないし１７のいずれかに記載のプリント装置。
【請求項１９】  前記キャリブレーション情報作成手段は、前記第１のキャリブレーション情報の取得が行なわれていないときは、前記第２のプリント出力特性情報のみを用いて第２のキャリブレーション情報を作成することを特徴とする請求項１５ないし１８のいずれかに記載のプリント装置。
【請求項２０】  プリント装置のプリント出力特性を一定の特性とするためのキャリブレーション処理のプログラムであって、
プリント装置から、プリント出力のためのデータ生成において用い得る複数の画像処理条件のうち、その数より少ない所定数の画像処理条件それぞれによるパッチデータに基づきパッチをプリント出力させ、
該パッチの読取り結果と前記パッチデータとに基づき、前記所定数の画像処理条件それぞれについて、第１のプリント出力特性情報および第１のキャリブレーション情報を取得し、
所定のタイミングで、前記プリント装置において、前記所定数の画像処理条件と同じ画像処理条件それぞれによるパッチデータに基づくパッチの出力、および該パッチの測定を行ない、
該パッチの測定結果と前記所定数の画像処理条件と同じ画像処理条件それぞれによるパッチデータとに基づき、前記所定数の画像処理条件それぞれについて、第２のプリント出力特性情報を取得し、
前記所定数の画像処理条件それぞれについて、前記第１のプリント出力特性情報と前記第２のプリント出力特性情報とに基づき補正データを作成し、
前記所定数の画像処理条件それぞれについて、前記作成した補正データによって、前記第１のキャリブレーション情報を補正して第２のキャリブレーション情報を取得し、
前記複数の画像処理条件のうち、当該画像処理において設定されている画像処理条件に応じて、前記複数の画像処理条件のうちその数より少ない所定数の画像処理条件の１つに対応したキャリブレーション情報を選択し、
該選択したキャリブレーション情報を用いて前記データに対しプリント出力特性の補正を行い、
前記選択されたキャリブレーション情報に対応する画像処理条件で、前記データに対して画像処理を行なう、
ステップを有した処理を実行するコード手段を有したことを特徴とするプログラム。
【請求項２１】  プリント装置のプリント出力特性を一定の特性とするためのキャリブレーション処理のプログラムであって、
プリント出力のためのデータを生成するための画像処理であって、
プリント出力のためのデータ生成において用い得る複数の画像処理条件のうち、画像処理において設定されている画像処理条件に応じて、複数の画像処理条件のうちその数より少ない所定数の画像処理条件の１つに対応したキャリブレーション情報を選択し、
該選択したキャリブレーション情報を用いて前記データに対しプリント出力特性の補正を行ない、
前記選択されたキャリブレーション情報に対応する画像処理条件で、前記データに対して画像処理を行なう、
ステップを有した処理を実行するコード手段を有したことを特徴とするプログラム。
【手続補正２】
【補正対象書類名】明細書
【補正対象項目名】００１８
【補正方法】変更
【補正の内容】
【００１８】
【課題を解決するための手段】
そのために本発明では、プリント装置のプリント出力特性を一定の特性とするためのキャリブレーション方法であって、プリント装置から、プリント出力のためのデータ生成において用い得る複数の画像処理条件のうち、その数より少ない所定数の画像処理条件それぞれによるパッチデータに基づきパッチをプリント出力させ、該パッチの読取り結果と前記パッチデータとに基づき、前記所定数の画像処理条件それぞれについて、第１のプリント出力特性情報および第１のキャリブレーション情報を取得し、所定のタイミングで、前記プリント装置において、前記所定数の画像処理条件と同じ画像処理条件それぞれによるパッチデータに基づくパッチの出力、および該パッチの測定を行ない、該パッチの測定結果と前記所定数の画像処理条件と同じ画像処理条件それぞれによるパッチデータとに基づき、前記所定数の画像処理条件それぞれについて、第２のプリント出力特性情報を取得し、前記所定数の画像処理条件それぞれについて、前記第１のプリント出力特性情報と前記第２のプリント出力特性情報とに基づき補正データを作成し、前記所定数の画像処理条件それぞれについて、前記作成した補正データによって、前記第１のキャリブレーション情報を補正して第２のキャリブレーション情報を取得し、前記複数の画像処理条件のうち、当該画像処理において設定されている画像処理条件に応じて、前記複数の画像処理条件のうちその数より少ない所定数の画像処理条件の１つに対応したキャリブレーション情報を選択し、該選択したキャリブレーション情報を用いて前記データに対しプリント出力特性の補正を行い、前記選択されたキャリブレーション情報に対応する画像処理条件で、前記データに対して画像処理を行なう、ステップを有したことを特徴とする。
【手続補正３】
【補正対象書類名】明細書
【補正対象項目名】００１９
【補正方法】変更
【補正の内容】
【００１９】
別の形態では、プリント出力のためのデータを生成するための画像処理方法であって、プリント出力のためのデータ生成において用い得る複数の画像処理条件のうち、画像処理において設定されている画像処理条件に応じて、複数の画像処理条件のうちその数より少ない所定数の画像処理条件の１つに対応したキャリブレーション情報を選択し、該選択したキャリブレーション情報を用いて前記データに対しプリント出力特性の補正を行ない、前記選択されたキャリブレーション情報に対応する画像処理条件で、前記データに対して画像処理を行なう、ステップを有したことを特徴とする。
【手続補正４】
【補正対象書類名】明細書
【補正対象項目名】００２０
【補正方法】変更
【補正の内容】
【００２０】
また、プリント装置と該プリント装置のプリントを制御するホスト装置を有し、プリント装置のプリント出力特性を一定の特性とするためのキャリブレーションを行なうプリントシステムであって、プリント装置から、プリント出力のためのデータ生成において用い得る複数の画像処理条件のうち、その数より少ない所定数の画像処理条件それぞれによるパッチデータに基づきパッチをプリント出力させるパッチ出力手段と、該パッチの読取り結果と前記パッチデータとに基づき、前記所定数の画像処理条件それぞれについて、第１のプリント出力特性情報および第１のキャリブレーション情報を取得する第１取得手段と、所定のタイミングで、前記プリント装置において、前記所定数の画像処理条件と同じ画像処理条件それぞれによるパッチデータに基づくパッチの出力、および該パッチの測定を行なうパッチ出力測定手段と、該パッチの測定結果と前記所定数の画像処理条件と同じ画像処理条件それぞれによるパッチデータとに基づき、前記所定数の画像処理条件それぞれについて、第２のプリント出力特性情報を取得する特性情報取得手段と、前記所定数の画像処理条件それぞれについて、前記第１のプリント出力特性情報と前記第２のプリント出力特性情報とに基づき補正データを作成する補正データ作成手段と、前記所定数の画像処理条件それぞれについて、前記作成した補正データによって、前記第１のキャリブレーション情報を補正して第２のキャリブレーション情報を取得する第２取得手段と、前記複数の画像処理条件のうち、当該画像処理において設定されている画像処理条件に応じて、前記複数の画像処理条件のうちその数より少ない所定数の画像処理条件の１つに対応したキャリブレーション情報を選択する選択手段と、該選択したキャリブレーション情報を用いて前記データに対しプリント出力特性の補正を行なう補正手段と、前記選択されたキャリブレーション情報に対応する画像処理条件で、前記データに対して画像処理を行なう手段と、を有したことを特徴とする。
【手続補正５】
【補正対象書類名】明細書
【補正対象項目名】００２１
【補正方法】変更
【補正の内容】
【００２１】
さらに、プリントを行なうプリント装置であって、当該プリント装置から、プリント出力のためのデータ生成において用い得る複数の画像処理条件のうち、その数より少ない所定数の画像処理条件それぞれによるパッチデータに基づいて出力されたパッチの読取り結果と前記パッチデータとに基づいて得られる、第１のプリント出力特性情報および第１のキャリブレーション情報であって、ホスト装置からダウンロードされた第１のプリント出力特性情報および第１のキャリブレーション情報を、前記所定数の画像処理条件それぞれについて格納する第１格納手段と、所定のタイミングで、前記所定数の画像処理条件と同じ画像処理条件それぞれによるパッチデータに基づくパッチの出力、および該パッチの測定を行なうパッチ出力測定手段と、該パッチの測定結果と前記所定数の画像処理条件と同じ画像処理条件それぞれによるパッチデータとに基づき、前記所定数の画像処理条件それぞれについて、第２のプリント出力特性情報を取得する特性情報取得手段と、前記所定数の画像処理条件それぞれについて、前記第２のプリント出力特性情報および第２のキャリブレーション情報を格納する第２格納手段と、前記所定数の画像処理条件それぞれについて、前記第１格納手段に格納される前記第１のプリント出力特性情報と前記第２格納手段に格納される前記第２のプリント出力特性情報とに基づき補正データを作成する補正データ作成手段と、前記所定数の画像処理条件それぞれについて、前記補正データ作成手段が作成した補正データによって、前記第１のキャリブレーション情報を補正して前記第２格納手段の前記第２のキャリブレーション情報を作成するキャリブレーション情報作成手段と、前記複数の画像処理条件のうち、当該画像処理において設定されている画像処理条件に応じて、前記複数の画像処理条件のうちその数より少ない所定数の画像処理条件の１つに対応したキャリブレーション情報を選択する選択手段と、該選択したキャリブレーション情報を用いて前記データに対しプリント出力特性の補正を行なう補正手段と、前記選択されたキャリブレーション情報に対応する画像処理条件で、前記データに対して画像処理を行なう手段と、を有したことを特徴とする。
【手続補正６】
【補正対象書類名】明細書
【補正対象項目名】００２２
【補正方法】削除
【補正の内容】